(57)【特許請求の範囲】
【請求項１】
ストレーナに設置される薬剤保持具であって、
可撓性を有し、平面視Ｃ字状に延びる支持部と、
前記支持部の延びる方向に沿って当該支持部に取り付けられ、薬剤を収容可能な内部空間を有し、前記内部空間と外部とを連通する少なくとも１つの開口が形成されている、少なくとも１つの薬剤収容部と、
前記ストレーナに着脱自在に固定するための取付手段と、
を備え、
前記取付手段は、前記ストレーナの上端縁に引っ掛けるためのフランジ部を有しており、
前記フランジ部から前記薬剤収容部までの上下方向の距離を変更可能に構成されている、薬剤保持具。
【請求項２】
前記支持部は、板状、棒状、格子状またはワイヤー状に形成されている、請求項１に記載の薬剤保持具。
【請求項３】
前記薬剤収容部は、前記ストレーナの上下方向に延びる側壁面を有しており、
当該側壁面には、前記開口が形成され、
前記開口には、前記内部空間へ流水を案内する案内部が設けられている、請求項１または２に記載の薬剤保持具。
【請求項４】
前記開口は、前記薬剤収容部に収容された薬剤の下部と対応する位置に形成されている、請求項１から３のいずれかに記載の薬剤保持具。
【発明の詳細な説明】
【技術分野】
【０００１】
本発明は、キッチン等の排水溝に取り付けられるストレーナに設置される薬剤保持具に関する。
【背景技術】
【０００２】
従来より、キッチン等の排水溝には、ストレーナと呼ばれるゴミ受けが取り付けられることが多い。一般的に、ストレーナは、円筒状の側面部と、側面部の下端を塞ぐ底面部と、を備え、上部が開口している。そして、側面部及び底面部には多数の小孔が形成されている。この構成により、ストレーナに流れ込んだ排水が、小孔から排出されるとともに、小孔よりも大きいゴミがストレーナの内部に溜まるようになっている。
【０００３】
そして、このようなストレーナに対しては、洗浄や消臭のための薬剤が用いられることが多く、薬剤をストレーナに取り付けるための種々の器具が提案されている。例えば、特許文献１には、ストレーナの上部開口に沿って取り付けられる薬剤保持具が開示されている。この薬剤保持具は、平面視環状に形成されており、水が通過する複数の流路が、上下方向に延びるように設けられている。そして、流路のいくつかには、洗浄成分を含んだ薬剤を保持する保持部が設けられており、流路を通過する水が薬剤に接触するようになっている。薬剤は、水に接触することで溶解し、洗浄成分を含んだ水がストレーナの壁を伝って排水される。これにより、ストレーナが洗浄されるようになっている。
【先行技術文献】
【特許文献】
【０００４】
【特許文献１】特開２０００−３４７５９号公報
【発明の開示】
【発明が解決しようとする課題】
【０００５】
しかしながら、特許文献１の薬剤保持具は、環状に形成されているため、取り付け可能なストレーナが限定されるという問題がある。すなわち、薬剤保持具の外径がストレーナの上部開口の径と一致しなければ取り付けることができず、汎用性に欠けるという問題があった。
【０００６】
本発明は、上記問題を解決するためになされたものであり、種々の径を有するストレーナに取り付け可能な薬剤保持具を提供することを目的とする。
【課題を解決するための手段】
【０００７】
第１の本発明は、ストレーナに設置される薬剤保持具であって、可撓性を有し、平面視Ｃ字状に延びる支持部と、前記支持部の延びる方向に沿って当該支持部に取り付けられ、薬剤を収容可能な内部空間を有し、前記内部空間と外部とを連通する少なくとも１つの開口が形成されている、複数の薬剤収容部と、前記ストレーナに着脱自在に固定するための取付手段と、を備えている。
【０００８】
この構成によれば、支持部が、可撓性を有する平面視Ｃ字状に形成されているため、種々のストレーナに設置することができる。すなわち、支持部の両端が近接するように変形させることで、支持部の曲率半径を変化させることができるため、種々の径を有するストレーナに設置することができる。例えば、最も大きいストレーナとして、支持部の初期状態の曲率半径と同等の半径を有するストレーナに取り付けることができる。一方、最も小さいストレーナとして、支持部の両端部を接触させたときに形成される円の径と同等の径を有するストレーナに取り付けることができる。
【０００９】
なお、支持部は、少なくとも一部が可撓性を有し、支持部の曲率半径を変更できるように構成されていればよい。また、支持部は、必ずしも連続した形態でなくてもよく、例えば、隣接する薬剤収容部を連結するように配置され、全体として平面視Ｃ字状に形成されていてもよい。
【００１０】
上記薬剤保持具において、前記支持部は、板状、棒状、格子状またはワイヤー状に形成することができる。
【００１１】
この構成によれば、支持部が板状、棒状、格子状またはワイヤー状に形成されているため、容易に切断することができる。これにより、支持部の長さを短くすることができ、さらに内径の小さいストレーナに取り付けることが可能となる。また、平面視における薬剤保持具全体の面積が小さくなり、ストレーナの排水面積が拡大するため、ゴミ詰まり等が生じ難くなる。
【００１２】
上記薬剤保持具において、前記各薬剤収容部は、前記ストレーナの上下方向に延びる側壁面を有しており、当該側壁面には、前記開口が形成され、前記開口には、前記内部空間へ流水を案内する案内部が設けられているものとすることができる。
【００１３】
この構成によれば、薬剤収容部の内部空間に流水を案内する案内部が、開口に設けられる。そのため、例えば、薬剤収容部の側壁面が流水に対して垂直であっても、案内部を介して流水を開口から内部空間に流れ込ませることができる。その結果、薬剤を流水によって溶解させやすくすることができる。なお、側壁面は、厳密に、ストレーナの上下方向に延びていなくてもよく、傾斜していてもよい。
【００１４】
上記薬剤保持具において、前記開口は、前記各薬剤収容部に収容された薬剤の下部と対応する位置に形成されているものとすることができる。
【００１５】
この構成によれば、薬剤収容部の開口が、収容された薬剤の下部と対応する位置に形成されるため、開口から流れ込んだ水を、薬剤の下部にのみ接触するようにすることができる。これにより、薬剤の上部に水が接触するのを防止することができ、薬剤は下部から徐々に溶解していく。そして、水に接触していない薬剤の上部が徐々に下方に移動し、水に接触するようになる。したがって、薬剤全体に水が接触しないため、薬効成分が早期に脱けるのを防止することができる。なお、「薬剤の下部」とは、収容された薬剤の上下方向の長さの概ね中央よりも下方を意味する。
【００１６】
上記薬剤保持具において、前記取付手段は、前記ストレーナの上端縁に引っ掛けるためのフランジ部を有しており、前記フランジ部から前記薬剤収容部までの上下方向の距離を変更可能に構成されているものとすることができる。
【００１７】
この構成によれば、フランジ部から薬剤収容部までの上下方向の距離を変更可能に構成されているため、例えば、深さが浅いストレーナに対しては、フランジ部から薬剤収容部までの距離を短くすることで、薬剤収容部がストレーナの底面に干渉することなく、取り付けることが可能となる。また、例えば、ストレーナの上部に設置される蓋の底面が下方側へ突出する形状の場合、フランジ部から薬剤収容部までの距離を長くすることで、薬剤収容部が蓋の底面に干渉することなく、取り付けることが可能となる。
【００１８】
上述した特許文献１に記載の薬剤保持具では、薬剤の上方から水を流して薬剤を溶解させているため、薬剤全体が濡れやすく、早期に薬効成分が脱けるという問題があった。これを解決するため、例えば、薬剤を収容する薬剤収容部を設け、側面に開口を形成することで、側面から水を接触させることも考えられるが、水は上方から下方へ流れるため、側面の開口から薬剤収容部内に薬剤に水を接触させることは難しかった。そこで、本発明者は、第２の本発明に至った。
【００１９】
第２の本発明は、ストレーナに設置される薬剤保持具であって、
薬剤を収容可能な内部空間を有し、前記内部空間と外部とを連通する少なくとも１つの開口が形成されている、少なくとも１つの薬剤収容部を備えており、
前記薬剤収容部は、前記ストレーナの上下方向に延びる側壁面を有しており、
当該側壁面には、前記開口が形成され、
前記開口には、前記内部空間へ流水を案内する案内部が設けられている。
【００２０】
また、固形の薬剤を溶解して用いる場合、上述した特許文献１に記載の薬剤保持具では、薬剤から早期に薬効成分が脱けるという問題があった。これを解決するため、本発明者は、第３の本発明に至った。
【００２１】
第３の本発明は、ストレーナに設置される薬剤保持具であって、
薬剤を収容可能な内部空間を有し、前記内部空間と外部とを連通する少なくとも１つの開口が形成されている、少なくとも１つの薬剤収容部を備えており、
前記開口は、前記薬剤収容部に収容された薬剤の下部と対応する位置に形成されている。
【００２２】
また、ストレーナは、特許文献１に示すもののほか、種々の深さのものがあるが、浅いものでは薬剤保持具が底面に接触して設置できないことがある。一方、ストレーナには蓋が設けられたものがあるが、そのなかには、ストレーナの内部に突出する形状の蓋がある。このような蓋が取り付けられたストレーナの場合、内部に突出する蓋と薬剤保持具が干渉するおそれがあり、薬剤保持具を適切に設置できない可能性がある。そこで、本発明者は、種々の形態のストレーナに対応すべく、第４の発明に至った。
【００２３】
第４の本発明は、ストレーナに設置される薬剤保持具であって、
薬剤を収容可能な内部空間を有し、前記内部空間と外部とを連通する少なくとも１つの開口が形成されている、少なくとも１つの薬剤収容部と、
前記ストレーナに着脱自在に固定するための取付手段と、
を備え、
前記取付手段は、前記ストレーナの上端縁に引っ掛けるためのフランジ部を有しており、
前記フランジ部から前記薬剤収容部までの上下方向の距離を変更可能に構成されている。
【発明の効果】
【００２４】
第１の本発明に係る薬剤保持具によれば、種々の内径を有するストレーナに取り付けることができる。
【図面の簡単な説明】
【００２５】
【図１】本発明の第１実施形態に係る薬剤保持具の斜視図である。
【図２】図１の平面図である。
【図３】図２のＡ−Ａ線断面図である。
【図４】図１の薬剤保持具の使用方法を示す平面図であり、大径のストレーナに取り付ける場合の例（ａ）と、小径のストレーナに取り付ける場合の例（ｂ）である。
【図５】本発明の第２実施形態に係る薬剤保持具の斜視図である。
【図６】第１態様（ａ）及び第２態様（ｂ）を取るフランジ部の断面図である。
【図７】第１の態様を取るフランジ部（ａ）、及び第２の態様を取るフランジ部（ｂ）のストレーナへの取り付け例を示す断面図である。
【図８】蓋部を有するストレーナに取り付けられる薬剤保持具の断面図である。
【図９】支持部の他の形態を示す平面図（ａ）、及びＢ−Ｂ線断面図（ｂ）である。
【図１０】支持部の他の形態を示す平面図（ａ）、及びＣ−Ｃ線断面図（ｂ）である。
【図１１】支持部の他の形態を示す平面図（ａ）、及びＤ−Ｄ線断面図（ｂ）である。
【図１２】本発明に係る薬剤保持具の他の形態を示す平面図（ａ）、側面図（ｂ）、組み立て平面図（ｃ）である。
【図１３】フランジ部の他の形態を示す側面図（ａ）及びＥ−Ｅ線断面図（ｂ）である。
【図１４】フランジ部の他の形態を示す側面図（ａ）及びＦ−Ｆ線断面図（ｂ）である。
【図１５】薬剤収容部の他の例を示す正面図（ａ）、及びそのＧ−Ｇ線断面図（ｂ）である。
【図１６】薬剤収容部の他の例を示す正面図（ａ）及びＨ−Ｈ線断面図（ｂ）である。
【図１７】薬剤収容部の他の例を示す正面図（ａ）及びＩ−Ｉ線断面図（ｂ）である。
【図１８】薬剤収容部の他の例を示す正面図（ａ）及びＪ−Ｊ線断面図（ｂ）である。
【発明を実施するための形態】
【００２６】
以下、本発明に係る薬剤保持具の実施形態について図面を参照しつつ説明する。
【００２７】
＜Ａ．第１実施形態＞
図１は第１実施形態に係る薬剤保持具の斜視図であり、図２は図１の平面図、図３は図２のＡ−Ａ線断面図である。図１及び図２に示すように、本実施形態に係る薬剤保持具は、平面視Ｃ字状に延びる支持部１を有しており、この支持部１に沿って所定間隔で複数の薬剤収容部２が取り付けられている。また、支持部１には、ストレーナの上縁に引っ掛けるためのフランジ部３が取り付けられている。そして、これら支持部１、薬剤収容部２、及びフランジ部３は、プラスチックなどの樹脂材料によって一体的に形成されており、弾性変形可能となっている。以下、各部材について、詳細に説明する。なお、以下の説明では、支持部１の外面側を外側または径方向外方、内面側を内側または径方向内方と称するとともに、図３の上下方向を、上下と称することがある。
【００２８】
＜１．支持部＞
図２に示すように、支持部１は、ストレーナの内周縁に沿って取り付けられるものであり、板状の部材を円弧状に湾曲することで構成されている。より詳細には、中心角αが概ね１８０〜３００度の平面視Ｃ字状に形成されている。そして、支持部１は、可撓性を有しており、弾性変形により、両端部を近接できるようになっており、これにより、支持部１によって構成される円弧の曲率半径Ｒを変更可能となっている。
【００２９】
後述するように、支持部１の下端部には、所定間隔をおいて複数の薬剤収容部２が取り付けられている（本実施形態では８個）。そして、図１に示すように、支持部１において、各薬剤収容部２が取り付けられている位置には、切り欠き１１がそれぞれ形成されている。この切り欠き１１は、横長の矩形状に形成されており、上縁の中央部に、下方に延びる突部１１１が形成されている。そして、各切り欠き１１の下端を塞ぐように薬剤収容部２がそれぞれ取り付けられている。これにより、各切り欠き１１は、支持部１の外面と内面とを連通する貫通孔として機能し、後述するようにストレーナに流れ込む水が通過する。
【００３０】
＜２．薬剤収容部＞
次に、薬剤収容部２について説明する。上記のように、本実施形態では複数の薬剤収容部２が設けられているが、いずれも同じ構成であるため、以下では、そのうちの１つについて説明する。
【００３１】
図１〜図３に示すように、薬剤収容部２は、上部に開口を有する直方体状の本体部２１と、上部開口を開閉可能に閉じる矩形状の蓋部２２と、を備えている。蓋部２２は、本体部２１の内面側の上端にヒンジ２３を介して取り付けられている。本体部２１は、内部が中空に形成されており、固形の薬剤４を収容可能となっている。また、本体部２１の外面の上端は、支持部１において切り欠き１１が形成されている位置に固定されている。より詳細には、支持部１において、切り欠き１１の両端付近に、本体部２１の外面の上端が一体的に固定されている。また、本体部２１の上部開口を蓋部２２によって閉じたとき、蓋部２２の外面と切り欠き１１の突部１１１とが接触することにより、切り欠き１１は、突部１１１を挟んで２つの開口に分けられ、各開口が上述したように貫通孔として機能する。
【００３２】
また、隣接する薬剤収容部２の間には、空間が形成されており、この空間は、ストレーナに流れ込む水が通過する。
【００３３】
本体部２１の内面及び外面には、それぞれ開口が形成されており、本体部２１の内部空間と外部とを連通するようになっている。各開口は、次のように構成されている。なお、各開口の構成はほぼ同じであるため、ここでは、内面の開口について説明する。本体部２１の内面には、水平方向に並ぶ２つの矩形状の開口２１１が形成されている。各開口２１１は、本体部２１の下端部から、概ね本体部２１の上下方向の高さの半分程度の位置まで延びている。また、各開口２１１の上縁の中央部には、下方に延びる突部２１２が形成されており、開口２１１の上下方向の中央付近まで延びている。図３に示すように、突部２１２を挟む各開口２１１の上縁には、下方にいくにしたがって内部空間側に傾斜するような傾斜面２１１１が形成されている。同様に、突部２１２の表面も、下方にいくにしたがって内部空間側に傾斜するように形成されている。また、開口２１１の下端縁に沿って水平に延びる堰部２１１２が形成されており、この堰部２１１２によって開口２１１内から内部空間に入り込んだ水の一部を、内部空間に溜めることができるようになっている。そして、このような構成の開口２１１が、本体部２１の外面にも形成されている。
【００３４】
＜３．薬剤＞
本実施形態では、種々の固形の薬剤を利用することができるが、例えば、次のような薬剤を使用することができる。形状としては、例えば、上述した薬剤収容部２の内部空間に収容可能であれば、特には限定されず、直方体状、円板状、筒状など種々の形態が可能であるが、例えば、図３に示すように、少なくとも薬剤収容部２の開口２１１の高さよりも大きい薬剤であることが好ましい。これは、後述するように、開口２１１から流入した水によって、薬剤のすべてが濡れてしまわないようにするためである。
【００３５】
また、薬剤の成分としては、公知の洗浄成分（ぬめり取り成分）、芳香成分、漂白成分、除菌成分、抗菌成分、消臭成分、脱臭成分などを含有したものとすることができる。
【００３６】
＜４．フランジ部＞
図１及び図２に示すように、フランジ部３は、支持部１の上端から上方に延びる板状の延在部３１と、この延在部３１の上端から径方向外方へ延びる板状の係止部３２と、で構成された側面視Ｌ字型に形成されている。本実施形態においては、支持部１の両端と、中央の合計３箇所に、フランジ部３が設けられているが、その数は、特には限定されない。
【００３７】
＜５．薬剤保持具の使用方法＞
次に、上記のように構成された薬剤保持具の使用方法について説明する。まず、各薬剤収容部２に薬剤４を収容する。このとき、薬剤４は、予め薬剤収容部２に収容された状態で、商品として出荷されていてもよいし、別体の薬剤４を使用直前に薬剤収容部２に収容してもよい。続いて、支持部１をストレーナの内周縁に沿う径に変形させ、フランジ部３をストレーナの上端縁に、引っ掛ける。こうして、薬剤保持具の取り付けが完了する。この時、支持部材１はその弾性による復元力によってストレーナの内面を外側に押圧するため、薬剤保持具がストレーナに安定して取り付けられる。
【００３８】
その後、ストレーナに流れ込んだ水は、薬剤収容部２の開口２１１から内部空間に流れ込み、薬剤４に接触する。このとき、各開口２１１の上縁、突部２１２の表面には、水を内部空間へ案内するための傾斜面が形成されているため、薬剤収容部２の外面及び内面は上下方向に延びていても、上方から流れ込む水は、傾斜面を伝ってスムーズに内部空間へ案内される。また、開口２１１の下端部に堰部２１１２が形成されているため、内部空間に入った水が、すべて外部に排出されず、一部を内部空間の下部に溜めることができるようになっている。そのため、流水だけでなく、この溜められた水によっても、薬剤を溶かすことができるようになっている。そして、薬剤４は、水に溶かされながら、開口２１１から排出され、ストレーナに対して芳香成分やぬめり取りの成分が作用する。
【００３９】
＜６．特徴＞
以上のように、本実施形態によれば、支持部１が、可撓性を有する平面視Ｃ字状に形成されているため、種々のストレーナに設置することができる。すなわち、支持部１の両端を近接するように変形させることで、支持部１の曲率半径を変化させることができるため、種々の径を有するストレーナに設置することができる。例えば、最も大きいストレーナとして、図４（ａ）に示すように、支持部１の初期状態の曲率半径Ｒ１と同等の半径を有するストレーナに取り付けることができる。一方、最も小さいストレーナとして、図４（ｂ）に示すように、支持部１の両端部を接触させたときに形成される円の半径Ｒ２と同等の半径を有するストレーナに取り付けることができる。
【００４０】
また、支持部１が板状に形成されているため、容易に切断することができる。これにより、支持部１の長さを短くすることができ、さらに径の小さいストレーナに取り付けることが可能となる。また、平面視における薬剤保持具全体の面積が小さくなり、ストレーナの排水面積が拡大するため、ゴミ詰まり等が生じ難くなる。
【００４１】
＜Ｂ．第２実施形態＞
次に、本発明の薬剤保持具の第２実施形態について説明する。第２実施形態に係る薬剤保持具が、第１実施形態と相違するのは、支持部とフランジ部の構成であり、薬剤収容部の構成は、蓋部と本体部とを接続するヒンジが本体部の径方向外方に取り付けられていること以外は、第１実施形態と同じである。したがって、以下では、主として第１実施形態と相違する部分のみを説明する。
【００４２】
図５は、本実施形態に係る薬剤保持具の斜視図である。同図に示すように、この薬剤保持具においては、支持部１が、隣接する薬剤収容部２を連結するように配置され、連結された支持部１と薬剤収容部２とが、全体として平面視Ｃ字状に形成されている。より詳細には、支持部１は、各薬剤収容部２の外面と面一となるように連結され、上下方向の長さも各薬剤収容部２とほぼ同じである。このような構成であっても、支持部１が可撓性を有することにより、第１実施形態と同様に、曲率半径を変更するように変形することができる。
【００４３】
また、複数の薬剤収容部２は、等間隔に配置されているのではなく、後述するように、４箇所においては、支持部１にフランジ部３を取り付けるため、隣接する薬剤収容部２の隙間が広くなっており、それ以外の隣接する薬剤収容部２の隙間は狭くなっている。
【００４４】
次に、フランジ部３について、図６も参照しつつ説明する。図６はフランジ部の断面図である。各フランジ部３は、第１の態様と第２の態様とを選択的に採ることができるように構成されている。なお、図５は、第１の態様を採るフランジ部３を示している。
【００４５】
図５及び図６に示すように、このフランジ部３は、支持部１の上端にヒンジ１５を介して連結された板状の延在部３１を備えており、図６（ａ）に示すように、第１の態様では、支持部１の上端から上方に延びている。延在部３１の上下方向の長さは、支持部１とほぼ同じである。そして、延在部３１の上端には、径方向外方へ向く板状の第１係止部３２が連結されており、延在部３１と第１係止部３２とで側面視Ｌ字状に形成されている。また、第１係止部３２の下面において、延在部３１との連結部分の近傍には突部３２１が形成されており、後述するように、支持部１に係止するようになっている。
【００４６】
また、延在部３１の下端付近には、径方向内方へ突出する第２係止部３３が設けられている。そして、延在部３１は、図６（ｂ）に示すように、支持部１の外面と対向する位置まで、ヒンジ１５を介して折り曲げ可能となっており、このように折り曲げることで、フランジ部３は、第２の態様となる。より詳細には、図６（ａ）に示すように、延在部３１を径方向外方に折り曲げ、図６（ｂ）に示すように、支持部１と対向するように配置すると、第２係止部３３が径方向外方を向き、フランジ部３が第２の態様となる。このとき、第１係止部３２に形成された突部３２１が、支持部１の下端に係止するようになっており、これによって、延在部３１が支持部１に対して対向する状態（第２係止部３３が径方向外方に向いた状態）が維持される。
【００４７】
以上のように、本実施形態によれば、フランジ部３が第１の態様を採る場合には、図７（ａ）に示すように、第１係止部３２がストレーナ１００の上端縁に係止するようになっている。この場合、薬剤収容部２は、第１係止部３２から、延在部３１の長さだけ下方に吊り下げられた状態となる。したがって、ストレーナの内部空間が深い場合に、第１の態様とすることができる。また、図８に示すように、ストレーナ１００に、下方に突出する蓋２００が設けられる場合にも、蓋２００と薬剤収容部２とが干渉しないように、第１の態様とすることができる。一方、フランジ部３が第２の態様を採る場合には、第２係止部３３は、概ね支持部１の上端付近から径方向外方へ延びるため、薬剤収容部２は、第２係止部３３から下方に吊り下げられた状態となる。このように、第２実施形態に係る薬剤保持具では、フランジ部３から薬剤収容部２までの上下方向の距離を変更することができる。そのため、例えば、図７（ｂ）に示すように、ストレーナ１００の内部空間が浅い場合には、フランジ部３を第２の態様とし、第２係止部３３から薬剤収容部２の下面までの高さを短くすることで、薬剤保持具２がストレーナ１００の底面部に干渉しないため、浅いストレーナにも設置することができる。
【００４８】
＜Ｃ．変形例＞
以上、本発明の実施形態について説明したが、本発明はこれに限定されるものではなく、その趣旨を逸脱しない限りにおいて種々の変更が可能である。
【００４９】
＜変形例１＞
上記第１実施形態では、平面視Ｃ字状に延びる支持部１の下端部に対し、径方向内方に突出するように、複数の薬剤収容部２を取り付けているが、薬剤収容部２を支持部１の径方向外方に配置することもできる。例えば、図９に示すように、支持部１の外面に、連結部材６を介して薬剤収容部２を取り付けることもできる。この場合、支持部１は、ストレーナの壁面から離れた位置に配置され、薬剤収容部２が、ストレーナの壁面により近い位置に配置される。また、フランジ部３は、薬剤収容部２に取り付けられる。
【００５０】
第２実施形態においては、隣接する薬剤収容部２の間に支持部１を取り付け、支持部１が全体として平面視Ｃ字状となるように形成しているが、支持部１の形態は、これらに限定されない。すなわち、薬剤収容部２の側面のいずれかの位置に支持部１を取り付けることもできる。例えば、図１０に示すように、薬剤収容部２の側面の径方向内方に支持部１を取り付けることができる。また、支持部１の形状は、平坦であるほか、種々の形態が可能であり、例えば、図１１に示すように、径方向内方に凸の湾曲形状とすることができる。
【００５１】
上記第１および第２実施形態では、支持部１の両端（または両側に配置されている薬剤収容部２）を近接離間させることで、支持部１の曲率半径を調整したが、例えば、図１２に示すように、支持部１の一端部に、帯状の調整部材７を取り付け、支持部１の他端部に、この調整部材７と係合可能な突部８を設けることもできる。この例では、調整部材７には、長手方向に沿って、突部８が係合する複数の円形の貫通孔７１が形成されており、隣接する貫通孔７１は、各貫通孔７１の径よりも小さい幅の溝７２によって連通している。一方、突部８は、支持部１の他端部に取り付けられる小径の首部と、この首部の先端に取り付けられる大径の抜け止め部とで、構成されている。首部は、調整部材７の溝７２よりも大径であるが、貫通孔よりは小径となっている。そして、首部が溝７２を弾性変形させながら、通過することで、いずれかの貫通孔７１に嵌まるようになっている。
【００５２】
そして、ストレーナの径に合わせて、突部８を、調整部材７のいずれかの貫通孔７１に係合させることで、薬剤保持具は、図１２（ｃ）に示すように、平面視円形となる。これにより、薬剤保持具は、ストレーナの壁面全周に亘って接触するようになり、支持部１の変形（特に、上述した曲率半径が小さくなる変形）が抑制されるため、外れにくくなる。なお、この実施形態では、調整部材７のいずれかの位置と、支持部１の他端部とが少なくとも固定されればよいため、上述した突部８と貫通孔７１による係合以外にも、種々の態様が可能である。
【００５３】
また、支持部１に対して、薬剤収容部２を着脱自在に取り付けることもできる。例えば、帯状の支持部１に、長手方向に沿って複数の貫通孔を設けておき、この貫通孔の少なくとも１つに薬剤収容部２を取り付けることができる。この場合、各薬剤収容部２には、貫通孔に係合可能な係合部を設けておく。あるいは、支持部１に係合部を設け、薬剤収容部２に貫通孔を設けることもできる。
【００５４】
上記第１および第２実施形態では、支持部１を板状に形成しているが、特には限定されない。例えば、支持部１を棒状、格子状、ワイヤー状など種々の形態にすることができ、このようにしても図７〜図１０の態様に適用することができる。支持部をワイヤー状にする場合、支持部１に薬剤収容部２を取り付けるには、種々の方法があるが、例えば、薬剤収容部２にワイヤーを通すための係合穴を設けることができる。この場合、薬剤収容部２は、ワイヤーのいずれかの位置に固定することもできるが、固定しないようにすることもできる。固定しない場合には、ワイヤーに沿って薬剤収容部２を移動させることができるため、例えば、ストレーナが小さい場合には、薬剤収容部２を等間隔に配置せず、いずれかの位置に密集させて配置することができる。この場合、フランジ部３は、薬剤収容部２に取り付けられる。
【００５５】
＜変形例２＞
薬剤収容部２の形態は、特には限定されず、薬剤４を収容可能で、且つ水が流入する開口が形成されていればよい。したがって、直方体以外の形状であってもよく、開口も、外面及び内面のほか、側面や上面に設けることもでき、数も限定されない。また、開口の形状も特には限定されないが、薬剤収容部２の下端部付近、特に、収容された薬剤４の上下方向の長さの中心よりも低い位置に開口が形成されることが好ましい。さらに、薬剤収容部２の数も特には限定されず、少なくとも１つあればよい。
【００５６】
＜変形例３＞
フランジ部３の形態も、特には限定されず、ストレーナの壁面に取り付けることができればよい。フランジ部３が取付けられる位置は、支持部１及び薬剤収容部２のいずれかであればよい。また、第２実施形態では、薬剤収容部２とフランジ部３との距離を変更可能にしているが、同様の機能を発揮できるものであれば、このほかの形態でもよい。例えば、図１３及び図１４に示すように、支持部１に突部８８を形成する。この突部８８は、支持部１の外面に取り付けられる小径の首部と、この首部の先端に取り付けられる大径の抜け止め部とで、構成されている。一方、フランジ部の延在部３５には、上下方向に並ぶ複数の円形の貫通孔３６が形成され、隣接する貫通孔３６は、各貫通孔３６の径よりも小さい幅の溝３７によって連通している。なお、首部は、溝３７よりも大径であるが、貫通孔３６よりは小径となっている。そして、首部が溝３７を弾性変形させながら、通過することで、いずれかの貫通孔７１に嵌まるようになっている。これにより、図１３に示すように、フランジ部の係止部３２と支持部１との距離を長くしたり、あるいは図１４に示すように、フランジ部の係止部３２と支持部との距離を短くすることができる。また、フランジ部３以外にも、取付手段として、薬剤保持具をストレーナの内壁面に取り付けることができれば、その態様は特には限定されず、例えば、紐などでストレーナに吊すこともできる。
【００５７】
＜変形例４＞
上記薬剤収容部２の開口２１１は、種々の構成を取ることができる。例えば、上記実施形態では、開口２１１の上端縁に内部空間側に向かう傾斜面２１１１を設けているが、開口２１１の側縁に傾斜面を設けることもできる。すなわち、開口周縁の少なくとも一部に傾斜面を設けることができるが、設けなくてもよい。また、図１５に示すように、突部２１２を設けず、各開口２１１の幅を小さくしてもよい。
【００５８】
また、上記実施形態では、開口２１１の下端縁に上方に突出する堰部２１１２は必ずしも設けなくてもよく、例えば、薬剤の種類によっては、早く溶解するのを防止するため内部空間に水が溜まらないようにすることができる。
【００５９】
＜変形例５＞
また、薬剤収容部２のみで薬剤保持具を構成することもできる。この場合、上記各実施形態や上記＜３＞で示したフランジ部３を、取付手段として薬剤収容部に取り付けることができる。その他、紐で吊下げることも可能であり、この場合には、紐を通す穴を設けることができる。
【００６０】
薬剤収容部のみで、薬剤保持具を構成する場合、例えば、次のようにすることができる。図１６は薬剤収容部２を平面視円形の円筒状に形成し、上下方向に延びる複数のスリットで開口２６を形成することができる。各開口２６は、薬剤収容部２の下端から、薬剤４の上下方向の長さの中央付近までの位置まで延びている。また、図１７に示すように、薬剤収容部２の下端縁に沿って、開口２７が円弧状に延びるように形成してもよい。さらに、図１８に示すように、複数の薬剤４を上下方向に並べて配置することもできる。すなわち、開口の上下方向の長さは、複数の薬剤を並べる場合には、複数の薬剤全体の長さの中央付近よりも下方となるようにすることができる。
【００６１】
上述した各実施形態及び＜１＞〜＜５＞の変形例は、適宜組合わせることができる。
【符号の説明】
【００６２】
１        ：支持部
２        ：薬剤収容部
３        ：フランジ部
４        ：薬剤
２６      ：開口
２７      ：開口
２１１    ：開口
【図１】
0006488093.tif 000002
【図２】
0006488093.tif 000003
【図３】
0006488093.tif 000004
【図４】
0006488093.tif 000005
【図５】
0006488093.tif 000006
【図６】
0006488093.tif 000007
【図７】
0006488093.tif 000008
【図８】
0006488093.tif 000009
【図９】
0006488093.tif 000010
【図１０】
0006488093.tif 000011
【図１１】
0006488093.tif 000012
【図１２】
0006488093.tif 000013
【図１３】
0006488093.tif 000014
【図１４】
0006488093.tif 000015
【図１５】
0006488093.tif 000016
【図１６】
0006488093.tif 000017
【図１７】
0006488093.tif 000018
【図１８】
0006488093.tif 000019